(57)【要約】【課題】環境に優しい新聞紙包装袋において、単価が生分解性樹脂製袋より安価で、より１部配達用に適した自然分解性樹脂を用いた新聞紙包装袋を提供する。【解決手段】ポリオレフィン系樹脂にオレフィン系樹脂の酸化分解剤を添加した自然分解性樹脂を用いて、薄い袋状に成形した包装袋に、一回配達分の新聞紙を入れ、各配達場所に配達する新聞紙包装袋である。また、前記オレフィン系樹脂の酸化分解剤は、少なくとも、有機物等の直接的な分解成分と、光学的，酸化的反応を起こす為の不飽和脂肪酸等の高級脂肪酸による自動酸化剤と、分散性，成型性，分解性の向上のために構成要素をバインドするポリマーを含む上記の新聞紙包装袋である。【選択図】図１
2004099160.tif 000002
【特許請求の範囲】
【請求項１】
ポリオレフィン系樹脂にオレフィン系樹脂の酸化分解剤を添加した自然分解性樹脂を用いて、薄い袋状に成形した包装袋に、一回配達分の新聞紙を入れ、各配達場所に配達することを特徴とする新聞紙包装袋。
【請求項２】
前記オレフィン系樹脂の酸化分解剤は、少なくとも、有機物等の直接的な分解成分と、光学的，酸化的反応を起こす為の不飽和脂肪酸等の高級脂肪酸による自動酸化剤と、分散性，成型性，分解性の向上のために構成要素をバインドするポリマーを含むことを特徴とする請求項１記載の新聞紙包装袋。
【請求項３】
前記包装袋は、直径略１６１ｍｍの円筒状で連続した薄いフィルム状に成型し、略４５０ｍｍ間隔でヒートシールと同時に切断して一方が開口となる、厚さ略５〜２０ミクロンロンメートルであることを特徴とする請求項１または請求項２記載の新聞紙包装袋。
【請求項４】
前記包装袋は、開口側端部から略２５０ｍｍの範囲に少なくとも１箇所に、開口端部固定手段を設けたことを特徴とする請求項３記載の新聞紙包装袋。
【請求項５】
前記開口端部固定手段は感圧接着剤である請求項４記載の新聞紙包装袋。
【発明の詳細な説明】
【０００１】
【発明の属する技術分野】
本発明は新聞紙包装袋に関するもので、特に雨、雪等の天候の悪い時に、新聞紙１部づつ袋に入れて読者に配達するための自然分解性樹脂の新聞紙包装袋にに関する。
【０００２】
【従来の技術】
近年、環境に優しいとか省資源が叫ばれており、新聞紙の梱包についてもポリプロピレン製およびポリエチレン製等の包装材を生分解性樹脂等に代えようとする動きはある。
特開２００１−８８８６５号公報には、生分解性樹脂からなることを特徴とする新聞紙包装材が開示されている。生分解性樹脂としてポリ乳酸を主成分とするもので、該生分解性樹脂製の梱包バンドと収納袋から構成される包装材に、新聞紙束１０キログラムを挿入しても十分な強度が得られるものである。
しかし、ポリエチレン樹脂やポリプロピレン樹脂と比較して、市販の生分解性樹脂は約４倍の単価であり、採算的に問題があった。
また、雨天の時に配達されて郵便受けで、水濡れによる汚損を避けるためにポリエチレン等のプラスチック製袋に入れて配ることも行われているが、廃棄物としてゴミが増え問題となっている。
【０００３】
【発明が解決しようとする課題】
本発明は、以上の問題点を解決すべく、環境に優しい新聞紙包装袋において、単価が生分解性樹脂製袋より安価で、より１部配達用に適した自然分解性樹脂を用いた新聞紙包装袋を提供することを課題とする。
【０００４】
【課題を解決するための手段】
請求項１に記載の発明は、ポリオレフィン系樹脂にオレフィン系樹脂の酸化分解剤を添加した自然分解性樹脂を用いて、薄い袋状に成形した包装袋に、一回配達分の新聞紙を入れ、各配達場所に配達することを特徴とする新聞紙包装袋である。
このような構成としたので、生分解性樹脂製包装袋より安価となり、従来のポリエチレン樹脂やポリプロピレン樹脂の代替えとして実用可能となる。
【０００５】
請求項２に記載の発明は、前記オレフィン系樹脂の酸化分解剤は、少なくとも、有機物等の直接的な分解成分と、光学的，酸化的反応を起こす為の不飽和脂肪酸等の高級脂肪酸による自動酸化剤と、分散性，成型性，分解性の向上のために構成要素をバインドするポリマーを含むことを特徴とする請求項１記載の新聞紙包装袋である。
このような構成としたので、オレフィン系樹脂に添加するだけで、光、熱、微生物等により、二酸化炭素＋水＋バイオマスになる。
【０００６】
請求項３に記載の発明は、前記包装袋は、直径略１６１ｍｍの円筒状で連続した薄いフィルム状に成型し、略４５０ｍｍ間隔でヒートシールと同時に切断して一方が開口となる、厚さ略５〜２０ミクロンロンメートルであることを特徴とする請求項１または請求項２記載の新聞紙包装袋である。
このような構成としたので、各読者に配達するにあたり、新聞紙１部を上下に折り、さらに左右に折った新聞紙が余裕を持って入り、開口側を折り畳めば略１００ｍｍの折幅がとれ、容易に雨水が入り込むことがない。
【０００７】
請求項４に記載の発明は、前記包装袋は、開口側端部から略２５０ｍｍの範囲に少なくとも１箇所に、開口端部固定手段を設けたことを特徴とする請求項３記載の新聞紙包装袋である。
このような構成としたので、請求項３に比べて、確実に開口端部を固定することができ、開いて雨水等が入り込むことがない。
【０００８】
請求項５に記載の発明は、前記開口端部固定手段は感圧接着剤である請求項４記載の新聞紙包装袋である。
このような構成としたので、手間がかからず、新聞紙を挿入し押し付けるだけで簡単に包装袋の端部を固定できる。
【０００９】
【発明の実施の形態】
図面を用いて本発明の実施の形態を説明する。
図１は本発明の新聞紙包装袋の正面説明図である。１は新聞紙包装袋、２はヒートシール部である。図２は図１のＡ−Ａ断面説明図である。
本発明の新聞紙包装袋１は、雨天等の天候が悪いときに、新聞紙を１部入れて各配達場所に配るために用いるものである。また、新聞紙を配達された側で、新聞紙を取り出した後、生ゴミ等を入れて処理する等の再利用を目的とする。
この目的のため、新聞紙包装袋１は新聞紙を入れた後、開口部をヒートシール等の破いて取り出すような密封をしないで、奥行きを長くして折り曲げておくことを第一とする。
【００１０】
本発明の新聞紙包装袋１に用いる自然分解性樹脂は、ポリエチレン樹脂、ポリプロピレン樹脂等のポリオレフィン系樹脂に、それらの酸化分解剤を添加したものである。
先行特許文献として、特許第２９６１１３８号、「重合可能な重合体組生物」があり、本発明の請求項２は上記特許の利用発明である。
前記酸化分解剤は、少なくとも、有機物等の直接的な分解成分と、光学的，酸化的反応を起こす為の不飽和脂肪酸等の高級脂肪酸による自動酸化剤と、分散性，成型性，分解性の向上のために構成要素をバインドするポリマーをふくむ。
前記有機物等の直接的な分解成分としては、澱粉、セルロース、ポリカプロラクトン、ポリ乳酸および他のポリエステル等が挙げたれる。
そして、これらの直接的分解成分は、ゲルかされ、水に分散可能な可塑剤および／または水に分解可能な熱可塑性極性ポリマー、例えばエチレンアクリル酸共重合体と熱の存在下で結合される。適当な可塑剤としては、ポリエチレングリコール、エチレングリコール、プロピレングリコール、ソルビトールおよびグリセリン等が挙げられる。
【００１１】
前記自動酸化剤としては、不飽和脂肪酸および／または脂肪酸エステル、例えば、ソーヤオイル、トウモロコシ油、オリーブ油、菜種油、大豆油、綿実油、ひまわり油、落花生油およびアマニ油を含む植物油または天然もしくは合成ゴム等の他の不飽和物質等が挙げられる。
また、酸化反応は前記ポリオレフィン系樹脂と相溶性のあるヒドロキシステアリン酸鉄のような鉄化合物からなる遷移金属によって開始されるのが好ましい。遷移金属の塩の作用ににより、過酸化物および／またはヒドロペルオキシドが生成され、これがポリマー鎖の分断を開始し、これを低分子量の組成分に分解する。さらに、銅化合物からなる遷移金属成分を添加することも可能である。これは、鉄化合物とともに触媒として作用し分解を促進する。
また、芳香族ケトンを添加してもよい。このケトン成分は酸化可能な成分の酸化に相乗効果を有する。このケトン成分は熱可塑性ポリマー成分を日光および／または紫外線並びに熱の作用の下で分解され易くする。
芳香族ケトンとしては、ベンゾフェノン、アントラキノン、アントロン等が挙げられる。
【００１２】
図３は、新聞紙３を上下方向に折り、さらに左右方向に折り曲げたものを新聞紙包装袋１に入れた状態を示す説明図である。新聞紙包装袋１は新聞紙３を入れたとき、開口から新聞紙３まで約１００以上とすると、折り曲げただけで容易に雨等から防ぐことができる。これは、新聞紙３を上下方向に一回折り曲げた倍のサイズの場合でも同様にすることができる。しかし、新聞紙包装袋のサイズも倍になり、省資源的に見て好ましくない。
【００１３】
図４は、本発明の新聞紙包装袋の一実施の形態を示すサイズを示した説明図である。
新聞紙包装袋１は、幅約２５３ｍｍ、深さ方向（縦方向）約４５０ｍｍである。製造方法は、前記自然分解性樹脂を用いて、成型機で直径約１６１ｍｍの円形状にフィルムを押し出し、巻き取る。これにグラビア印刷等を施した後、ヒートシールをして約４５０ｍｍで切断して袋とする。もちろん、印刷をしない場合もある。
前記新聞紙包装袋３の厚さは、薄いほど自然分解し易いし、材料費も少なくなるのでよいが、強度を考慮して約５〜２０ミクロンメーターが好ましい。
【００１４】
図５（ａ）、図５（ｂ）は本発明の別の実施の形態を示す正面説明図である。４は開口端部固定手段、５は折り曲げ部、両矢印の線は略２５０ｍｍの開口端部固定手段４の設ける範囲を示している。
開口端部固定手段４は、接着性のあるもので、両面テープ、感圧接着剤、易剥離性接着剤等が挙げられるが、通常は接着しないで圧をかけたとき接着し容易に剥離可能な感圧接着剤が好ましい。また、自然分解する材料で構成されていることが好ましい。図では、開口端部固定手段４は一箇所であるが、大きさ、数等必要に応じて設けることができる。
【００１５】
図６（ａ）、図６（ｂ）は、本発明のまた別の実施の形態を示す正面説明図である。図６（ａ）は、裏側に開口端部固定手段４を設け、折り曲げ線部５で２回折り曲げて、開口端部固定手段４で固定する。これは、開口端部固定手段４が無くても折り曲げられる開口端からの長さを十分とってあるので、雨等にぬれ難いが、念には念を入れて確実にするためである。
図６（ｂ）は、同じく２回折り曲げられるが、開口端部固定手段４が表面の開口端部が折り曲げられてくる所に設けられたものである。これらも、図では、開口端部固定手段４は一箇所であるが、大きさ、数等必要に応じて設けることができる。また、折り曲げる回数も特に限定するものでない。
【００１６】
【発明の効果】
請求項１に記載の発明は、オレフィン系樹脂にオレフィン系樹脂の酸化分解剤を添加した自然分解性樹脂を用いたので、生分解性樹脂製包装袋より安価となり、従来のポリエチレン樹脂やポリプロピレン樹脂の代替えとして実用可能となる。また、生ゴミを入れる袋として再利用が可能となる。
【００１７】
請求項２に記載の発明は、前記オレフィン系樹脂の酸化分解剤として、少なくとも、有機物等の直接的な分解成分と、光学的，酸化的反応を起こす為の不飽和脂肪酸等の高級脂肪酸による自動酸化剤と、分散性，成型性，分解性の向上のために構成要素をバインドするポリマーを含むことにより、オレフィン系樹脂に添加するだけで、光、熱、微生物等により、二酸化炭素＋水＋バイオマスになる。
【００１８】
請求項３に記載の発明は、各読者に配達するにあたり、新聞紙１部を上下に折り、さらに左右に折った新聞紙が余裕を持って入り、開口側を折り畳めば略１００ｍｍの折幅がとれ、容易に雨水が入り込むことがない。
【００１９】
請求項４に記載の発明は、請求項３に比べて、確実に開口端部を固定するので、開いて雨水等が入り込むことがない。
【００２０】
請求項５に記載の発明は、開口端部固定手段を感圧接着剤としたので、手間がかからず、新聞紙を挿入し押し付けるだけで簡単に包装袋の端部を固定できる。
【図面の簡単な説明】
【図１】本発明の新聞紙包装袋の正面説明図である。
【図２】図１のＡ−Ａ断面説明図である。
【図３】新聞紙３を上下方向に折り、さらに左右方向に折り曲げたものを新聞紙包装袋１に入れた状態を示す説明図である。
【図４】本発明の新聞紙包装袋の一実施の形態を示すサイズを示した説明図である。
【図５】本発明の新聞紙包装袋の別の一実施の形態を示す説明図である。
【図６】本発明の新聞紙包装袋のまた別の一実施の形態を示す説明図である。
【符号の説明】
１…新聞紙包装袋　２…ヒートシール部　３…新聞紙　４…開口端部固定手段
５…折り曲げ部
【図１】
2004099160.tif 000003
【図２】
2004099160.tif 000004
【図３】
2004099160.tif 000005
【図４】
2004099160.tif 000006
【図５】
2004099160.tif 000007
【図６】
2004099160.tif 000008